(57)【要約】【課題】空気調和機と石油ファンヒータとが連携して室内温度差を協調するもので、複数の利用者が各人の好みに合わせて、各人が利用したい時に調整するような機能が無く、利用者が入れ替わった場合など、利用者自らが温度変更するわずらわしさが存在していた。【解決手段】無線通信装置１Ａ−１は、温度測定部１１Ａと、個別番号を保持する識別部１２Ａと、無線で通信をおこなう通信部１３Ａとを備え、空気調和機２Ａ−１は、通信部２３Ａと、温度制御部２１Ａと、空気調和をおこなう制御部２２Ａと、個別番号と利用者の登録判別をおこなう個人認証部２４Ａと、利用者毎の空気調和条件を設定する調和設定部２５Ａとを備え、利用者が意識せずに利用者個人の認識が容易にでき、利用者の体調、好みに合わせて自動的に空間内の温度調整をおこなう。【選択図】図１
2007132616.tif 000002
【特許請求の範囲】
【請求項１】
居住者個々が携帯し体温を測定する温度計測機能を備えた無線通信装置と、前記無線通信装置と通信をおこなう無線通信機能とを備えた空気調和機とからなる空気調和システムであって、
前記無線通信装置は、温度測定部と、個別番号を保持する識別部と、無線で前記個別番号を含んだ通信をおこなう通信部とを備え、
空気調和機は、通信部と、温度と空気調和をおこなう制御部と、前記通信文で受信した前記個別番号と利用者の登録判別をおこなう個人認識部と、前記利用者毎の空気調和条件を設定する調和設定部とを備え、
前記空気調和機が無線通信装置を携帯した利用者を認識し、前記利用者に合わせた空気調和条件で運転する空気調和機システム。
【請求項２】
前記空気調和機および前記無線通信装置の通信部に、無線の送信出力レベルを制御する送信レベル制御部と、無線の受信感度レベルを制御する受信レベル制御部と、前記送信レベル制御部と前記受信レベル制御部を制御し、前記空気調和機と無線通信装置との位置を把握する距離認識部とを備え、
前記無線通信装置を携帯する複数人の利用者の内、距離認識部で把握した空気調和機から最も近接の利用者の空気調和条件で運転する請求項１記載の空気調和システム。
【請求項３】
前記無線通信装置を携帯電話に内蔵または設ける構成とし、前記空気調和機の調和設定部に、利用者の標準体温を設定する標準体温設定部と、前記無線通信装置から受信した利用者の体温が前記標準体温設定部の設定値より一定値以上の場合に、利用者の空気調和条件より一定値上昇させる補正部とを空気調和機に備え、
利用者の体調に合わせて空気調和条件を補正する請求項１または２いずれか１項記載の空気調和システム。
【請求項４】
前記空気調和機の補正部に補正通知をする通知部とを備え、
補正と共に無線通信装置に体温が標準体温設定部の設定値より上昇し、温度補正したことを即座に利用者に知らせ、利用者が通常より体温が上がっていることを知らせ異常に気付くように即す請求項３記載の空気調和システム。
【請求項５】
複数台の空気調和機が１つの部屋内に存在する場合において、それぞれの空気調和機に、制御部の動作を他の空気調和機と連携するように空気調和機を設定する連携設定部とを備え、
複数利用者の空気調和条件の中間値を共有して連携運転する空気調和機を設定し、連携運転する請求項１〜４のいずれか１項記載の空気調和システム。
【請求項６】
前記空気調和機が補正部で温度補正した場合に、前記補正部で温度補正をおこなう対象となった無線通信装置以外の無線通信装置に対して、該当の無線通信装置が標準体温より体温が高くなっていることおよび空気調和機が温度補正したことを通知する通知部とを備え、
他の無線通信装置に標準体温設定部の設定値より上昇していることを知らせ、他の部屋内の利用者に温度設定値が通常値より高くなっていることを知らせる請求項５記載の空気調和システム。
【請求項７】
前記無線通信装置を携帯電話に内蔵または設ける構成とし、前記無線通信装置に利用者の心拍数を測定する心拍測定部と、利用者の体温および心拍数を携帯電話に内蔵した前記無線通信装置で測定し、利用者の心拍数が測定可能な場合に前記温度測定部で体温を測定する測定判定部とを備えた請求項１〜３のいずれか１項記載の空気調和システム。
【発明の詳細な説明】
【技術分野】
【０００１】
本発明は、無線通信を利用した個人識別と空気調和機の個別調和制御をおこなう空気調和システムに関する。
【背景技術】
【０００２】
従来の空気調和機として、図４で示すような空気調和機及び空気調和システムがあった（例えば特許文献１参照）。
【０００３】
この特許文献１の例について図４を用いて説明する。図４において、空気調和機１は、石油ファンヒータ５１と共同して空気調和を行う空気調和機１であって、調和部４１と、制御部とを備え、調和部４１は空気調和をおこない、制御部は、調和部４１の運転を制御し、石油ファンヒータ５１と情報交換可能に接続される構成とする。
【０００４】
以下に、その動作について説明する。室内上方の温度を検知するための手段としては、室内機２に設けられた温度センサ４３等が用いられる。また、室内下方の温度を検知するための手段としては、石油ファンヒータ５１に設けられた温度センサ５２が用いられる。その室内機２の温度センサ４３が測定する室内上方温度と石油ファンヒータ５１の温度センサ５２が測定する室内下方温度との差が所定の温度差を超えた場合、空気調和機１は暖房運転から送風運転に変更しサーキュレータとして作動する。
【特許文献１】特開２００４−２０１６４号公報
【発明の開示】
【発明が解決しようとする課題】
【０００５】
しかしながら、上述した空気調和機及び空気調和システムでは、空気調和機と石油ファンヒータとが連動し、室内の温度差を少なくした空間を提供するもので、利用者が自分の好みにあった温度を自ら設定し、その温度に空間内をするものであって、利用者が体調が悪い、心拍数や体温が上がっている場合においても設定した温度のままで調整される。
【０００６】
したがって、利用者が風邪を引いて熱を出している場合でもそのままの温度設定で、利用者が寒気を感じた場合には、自ら温度の設定変更をおこない、手間が発生していた。また、知らぬ間に発熱や寒気をした場合は、温度変更を忘れてしまうなどの不便さがあった。
【０００７】
本発明は、前記従来の課題を解決するもので、無線通信装置が利用者の体温を測定する温度測定部と、空気調和機の付近または無線通信装置で利用した利用者を特定する個人認識部と無線で通信をおこなう通信部と利用者毎の空気調和条件を設定する調和設定部とを備え、空気調和機が無線通信装置を携帯した利用者を認識し、前記利用者に合わせた空気調和条件で運転する空気調和機システムを提供することを目的とする。
【課題を解決するための手段】
【０００８】
上記課題を解決するために、本発明においては、居住者個々が携帯し体温を測定する温度計測機能を備えた無線通信装置と、前記無線通信装置と通信をおこなう無線通信機能とを備えた空気調和機とからなる空気調和システムであって、前記無線通信装置は、温度測定部と、個別番号を保持する識別部と、無線で前記個別番号を含んだ通信をおこなう通信部とを備え、空気調和機は、通信部と、温度と空気調和をおこなう制御部と、前記通信文で受信した前記個別番号と利用者の登録判別をおこなう個人認識部と、前記利用者毎の空気調和条件を設定する調和設定部とを備えた構成とした。
【０００９】
これによって、利用者の個別認識が容易にでき、利用者の体調に合わせて自動的に空間内の温度調整をおこなうことができ、利用者にやさしく快適な空間を提供することができる。
【発明の効果】
【００１０】
以上で説明したように、本発明によれば、利用者の体温、心拍数などを常に利用者が携帯する無線通信装置で測定し、標準値を空気調和機に設定することで、利用者の体調に変化があった場合でも自動的に温度設定を変更して快適に調整することができる。
【発明を実施するための最良の形態】
【００１１】
第１の発明は、居住者個々が携帯し体温を測定する温度計測機能を備えた無線通信装置と、前記無線通信装置と通信をおこなう無線通信機能とを備えた空気調和機とからなる空気調和システムであって、前記無線通信装置は、温度測定部と、個別番号を保持する識別部と、無線で前記個別番号を含んだ通信をおこなう通信部とを備え、空気調和機は、通信部と、温度と空気調和をおこなう制御部と、前記通信文で受信した前記個別番号と利用者の登録判別をおこなう個人認識部と、前記利用者毎の空気調和条件を設定する調和設定部とを備える。
【００１２】
これによって、無線通信装置で測定した利用者の体温と個別認識から空気調和機の個別番号から個人を特定し、事前に設定した利用者毎の空気調和条件を知ることとなり、空気調和機が無線通信装置を携帯した利用者を個別に認識し、利用者に合わせた空気調和条件に切替えて運転でき、利用者にやさしく快適な空間を提供することができる。
【００１３】
第２の発明は、特に、第１の発明の空気調和システムにおいて、前記空気調和機および前記無線通信装置の通信部に、無線の送信出力レベルを制御する送信レベル制御部と、無線の受信感度レベルを制御する受信レベル制御部と、前記送信レベル制御部と前記受信レベル制御部を制御し、前記空気調和機と無線通信装置との位置を把握する距離認識部とを備える。
【００１４】
これによって、空気調和機が認識する複数の無線通信装置の位置関係を把握することとなり、無線通信装置を携帯する複数人の利用者の内、空気調和機から最も近接の利用者の空気調和条件に切替えて運転でき、各部屋間の空気調和機の個人識別を正確にし、誤動作を防止すると共に、空気調和機の近接者が利用者として優先権を保持させることができる。
【００１５】
第３の発明は、特に、第１または第２の発明のいずれか１つの発明の空気調和システムにおいて、前記無線通信装置を携帯電話に内蔵または設ける構成とし、前記空気調和機の調和設定部に、利用者の標準体温を設定する標準体温設定部と、前記無線通信装置から受信した利用者の体温が前記標準体温設定部の設定値より一定値以上の場合に、利用者の空気調和条件より一定値上昇させる補正部とを空気調和機に備える。
【００１６】
これによって、利用者の平常時の平均体温を記録し、その平常時体温と比較して測定した体温が高い場合に、空気調和機が所定値より任意温度高めに運転することとなり、利用者が意識せずに体温の上昇や平常時でも快適に過ごせるように空気調和機が温度変更をおこなうという体調不良時の体調ケアや快適性向上と利便性の向上をおこなうことができる。
【００１７】
第４の発明は、特に、第３の発明の空気調和システムにおいて、前記空気調和機の補正部に補正通知をする通知部とを備え、補正と共に無線通信装置に体温が標準体温設定部の
設定値より上昇し、温度補正したことを即座に利用者に知らせ、利用者が通常より体温が上がっていることを知らせ異常に気付くように即すこととなり、利用者が気付かずに体温が高くなっている場合、利用者が容易に体調不良を把握できるという利便性の向上と体調管理を支援することができる。
【００１８】
第５の発明は、特に、第１から第４の発明のいずれか１つの発明の空気調和システムにおいて、複数台の空気調和機が１つの部屋内に存在する場合において、それぞれの空気調和機に、制御部の動作を他の空気調和機と連携するように空気調和機を設定する連携設定部とを備え、複数利用者の空気調和条件の中間値を共有して連携運転する空気調和機を設定し、連携運転する。
【００１９】
これによって、部屋内の空気調和条件を対象となる無線通信装置を保持した複数利用者の空気調和条件の中間値で連携運転することができ、利用者の快適性を保持することができる。
【００２０】
第６の発明は、特に、第５の発明の空気調和システムにおいて、前記空気調和機が補正部で温度補正した場合に、前記補正部で温度補正をおこなう対象となった無線通信装置以外の無線通信装置に対して、該当の無線通信装置が標準体温より体温が高くなっていることおよび空気調和機が温度補正したことを通知する通知部とを備え、
他の無線通信装置に標準体温設定部の設定値より上昇していることを知らせ、他の部屋内の利用者に温度設定値が通常値より高くなっていることを知らせる。
【００２１】
これによって、他の無線通信装置を保持している利用者に通知することとなり、利用者のうち誰かが体温上昇していることをよりすばやく知ることができ、空気調和機の温度補正の理由を把握することができる。
【００２２】
第７の発明は、特に、第１から第３の発明のいずれか１つの発明の空気調和システムにおいて、前記無線通信装置を携帯電話に内蔵または設ける構成とし、前記無線通信装置に利用者の心拍数を測定する心拍測定部と、利用者の体温および心拍数を携帯電話に内蔵した前記無線通信装置で測定し、利用者の心拍数が測定可能な場合に前記温度測定部で体温を測定する測定判定部とを備えた。
【００２３】
これによって、前記無線通信装置を携帯電話に内蔵または設ける構成とし、前記無線通信装置に利用者の心拍数を測定する心拍測定部と、利用者の体温および心拍数を携帯電話に内蔵した前記無線通信装置で測定し、利用者の心拍数が測定可能な場合に前記温度測定部で体温を測定する測定判定部とを備えることにより、心拍数が測定されている時に体温を測定することとなり、温度測定部の体温測定が正しく利用者の体温測定とすることができ、誤計測の無いより精度の高い通信装置を実現できる。
【００２４】
以下本発明の実施の形態について、図面を参照しながら説明する。なお、この実施の形態によって本発明が限定されるものではない。
【００２５】
（実施の形態１）
図１から図３は、本発明の実施の形態１の無線通信装置および空気調和機および空気調和システムの構成図、携帯電話への設置例、システム構成図を各々示すものである。
【００２６】
図１は、本発明の実施の形態１の無線通信装置および空気調和機の構成図を示すものである。
【００２７】
図１において、無線通信をおこなう無線通信装置１Ａ−１には、無線通信の制御をおこ
なう通信部１３Ａ内の通信をおこない通信相手との距離を認識する距離認識部１３３Ａ、通信相手と通信をおこなう際に受信感度を制御する受信レベル制御部１３１Ａ、送信出力を制御する送信レベル制御部１３２Ａ、無線通信装置１Ａ−１の個別番号を認識する識別部１２Ａ、無線通信装置１Ａ−１の外表面の温度を測定する温度測定部１１Ａからなる。
【００２８】
また、空気調和機２Ａ−１は、無線通信の制御をおこなう通信部２３Ａ内の通信をおこない通信相手との距離を認識する距離認識部２３３Ａ、通信相手と通信をおこなう際に受信感度を制御する受信レベル制御部２３１Ａ、送信出力を制御する送信レベル制御部２３２Ａ、無線通信装置１Ａ−１の識別部１２Ａで保持する個別番号から利用者を特定する個人認証部２４Ａ、空気調和機の制御をおこなう制御部２２Ａ、温度制御をおこなう温度制御部２１Ａ、空気調和の設定をおこなう調和設定部２５Ａ内に利用者の標準体温を設定する標準体温設定部２５１Ａ、利用者の体温が標準体温を一定値以上越えている場合に調和設定を補正する補正部２５２Ａ、補正部２５２Ａ内の調和設定を変更したことを通知する通知部２５２１Ａからなる。
【００２９】
図２は、本発明の実施の形態１の無線通信装置の設置例を示すものである。
【００３０】
図２において、携帯電話３Ａ−１の本体に無線通信装置１Ａ−１を貼り付けるまたは内蔵した搭載例で、携帯電話３Ａ−２の本体に携帯電話のストラップとして無線通信装置１Ａ−２を搭載した例を示すものである。
【００３１】
図３は、本発明の実施の形態１の無線通信装置および空気調和機および空気調和システムの構成図を示すものである。
【００３２】
図３において、二階建ての家６Ａの内部に、１階部が一部屋で空気調和機２Ａ−１、２Ａ−２が２台設置、２階部が扉５Ａで二部屋に仕切られ、片側の部屋に空気調和機２Ａ−３が設置、残りの一部屋には空気調和機が無い状態の構成である。
【００３３】
また、１階部に利用者４Ａ−１が無線通信装置１Ａ−１を搭載した携帯電話３Ａ−１を保持し、利用者４Ａ−２が無線通信装置１Ａ−２を搭載した携帯電話３Ａ−２を保持している。さらに２階部の空気調和機２Ａ−３の設置している部屋側に、利用者４Ａ−３が無線通信装置１Ａ−３を搭載した携帯電話３Ａ−３を保持し、残りの部屋側に利用者４Ａ−４が無線通信装置１Ａ−４を搭載した携帯電話３Ａ−４を保持した構成としている。
【００３４】
ここでは、４人家族の利用者が各部屋に無線通信装置を保持しており、それぞれの無線通信装置１Ａ−１〜４には各利用者を特定する識別部１２Ａに個別番号が付与されている。
【００３５】
個別識別番号により、空気調和機２Ａ−１〜３は個人認証部２４Ａで誰かを認識することができる。個人番号は、個人名やアドレス、メールアドレス、ＩＰアドレス、ＭＡＣアドレスなどを利用しても良い。
【００３６】
ここでは、空気調和機２Ａ−１〜３が個人認証部２４Ａで無線通信装置１Ａ−１〜４を特定するとしたが、個人認証をおこなうためのコントローラを家６Ａ内に設置して、コントローラから各空気調和機２Ａ−１〜３に個人認証後の制御を指令としておこなっても良い。また、コントローラが宅外のインターネットや公衆回線網とも接続されており（図示しない）、宅外から空気調和機２Ａ−１〜３を制御する場合においてもコントローラが個人認証後、制御することとなり同様の機能を有する。
【００３７】
また、温度制御部２１Ａと制御部２２Ａとは一つの制御部で実現しても良い。
【００３８】
次に、このような構成の無線通信装置および空気調和機および空気調和システムの動作、作用について説明する。
【００３９】
図１に示すように、利用者が携帯する無線通信装置１Ａ−１は、空気調和機２A−１と特定小電力無線で通信をおこなう。無線通信装置１Ａ−１が空気調和機２A−１と通信をおこなう場合に、識別部１２Ａで保持する個別番号で空気調和機２Ａ−１の個人認証部２４Ａで利用者を特定し通信をおこなう。
【００４０】
さらに利用者が携帯している無線通信装置１Ａ−１と空気調和機２Ａ−１との位置や距離は不特定であるために、無線通信装置１Ａ−１の受信レベル制御部１３１Ａで受信感度を向上し、送信レベル制御部１３２Ａで送信出力を向上させ、通信距離を長くする。また、同様に空気調和機２Ａ−１の受信レベル制御部２３１Ａで受信感度を向上し、送信レベル制御部２３２Ａで送信出力を向上させ、さらに通信距離を伸ばす。
【００４１】
また、距離認識部１３３Ａは、受信レベル制御部１３Ａで制御した受信感度と通信部１３Ａで受信した通信信号の受信レベルから受信距離を換算し、通信相手先との通信距離を認識する。同様に空気調和機２Ａ−１内の距離認識部２３３Ａも通信相手先との通信距離を認識する。
【００４２】
通信距離は、例えば、一般的な自由空間基本伝搬損失Ｌ［ｄＢ］（受信電力が受信レベルと送信電力が送信レベルの比）の式  Ｌ［ｄＢ］＝１０log１０（４πｄ／λ）２から演算し、距離を算出する方法でもよい。この場合、使用する無線の周波数（例えば４００ＭＨzの特定小電力無線の場合、波長λ＝０．６６ｍ）により損失は変化する。
【００４３】
さらに、温度測定部１１Ａで無線通信装置１Ａ−１の外表面温度を測定する（例えば、利用者が無線通信装置１Ａ−１を携帯している場合には、利用者の体温を測定）。心拍測定部１１Ａ−１に心拍測定信号が計測されている場合において温度測定部１１Ａが利用者の体温を測定していると判断して、測定した温度を通信部１３Ａから空気調和機２Ａ−１の通信部２３Ａへ送信する。心拍測定部１１Ａ−１を利用せずにすべての温度を体温測定としておこなってもよい。
【００４４】
測定温度を受信した空気調和機２Ａ−１は、事前に利用者の体温を設定している標準体温設定部２５１Ａの値と測定温度を比較し、測定温度が高い場合に、空気調和機の設定温度を補正制御し、補正値を任意に設定する補正部２５２Ａで、空気調和機２Ａ−１を例えば、２度上昇させる。ここで測定温度と標準体温設定部２５１Ａの温度差と補正部２５２Ａの補正値は任意に決定することとする。
【００４５】
さらに、補正部２５２Ａで補正する値を制御部２２Ａに指令し、温度制御部２１Ａで空気調和機２Ａ−１の温度を変更する。温度変更と同時に通知部２５２１Ａが各無線通信装置１Ａ−１の通知部１３４Ａに送信し、各無線通信装置１Ａ−１を携帯する人が空気調和機の温度設定が変化したことを認識することができる。
【００４６】
また、連携設定部２６Ａは、複数台の空気調和機２Ａ−１がある場合に複数の利用者がそれぞれ携帯する無線通信装置１Ａ−１からの測定温度が異なる場合に、各空気調和機２Ａ−１の連携設定部２６Ａで連携運転有無を設定する。さらに、連携設定有りの場合に、温度補正を例えば各々の空気調和機２Ａ−１の補正値の中間値に設定し、利用者の快適性を損なわない運転をおこなう。
【００４７】
また、受信レベル制御部１３１Ａの受信感度と送信レベル制御部１３２Ａの送信出力信
号を任意の値に設定し、一定の距離範囲にのみ通信を制限する。通信距離を制限することにより、不用意に遠距離にある機器との通信を抑制し、通信頻度を抑える。または、空気調和機２Ａ−１の近距離にいる利用者のみに優先権を持たせて温度補正を補正部２５２Ａでおこなう。
【００４８】
同様に空気調和機２Ａ−１の受信レベル制御部１３１Ａの受信感度と送信レベル制御部１３２Ａの送信出力信号を任意の値に設定し、一定の距離範囲にのみ通信を制限することで、利用者が近接している時にのみ温度補正することも可能である。
【００４９】
図２において、無線通信装置１Ａ−１が携帯電話３Ａ−１に貼り付ける場合を示し、利用者が常時、携帯電話３Ａ−１をポケットなどに収納する場合に、温度測定部１１Ａで利用者の体温を容易に測定することができる。同様に携帯電話３Ａ−２のストラップとして取り付け可能とした無線通信装置１Ａ−２の場合を示し、利用者が容易に常時携帯できる。
【００５０】
図３においては、実際の２階建ての家６Ａ内で利用する場合の例を説明する。無線通信装置１Ａ−１、２、３、４を搭載した携帯電話３Ａ−１、２、３、４を携帯する同居家族の利用者４Ａ−１、２、３、４が各部屋に設置している空気調和機２Ａ−１、２、３を運転している状況で、利用者４Ａ−１が空気調和機２Ａ−１の周辺、利用者４Ａ−２が空気調和機２Ａ−２の周辺にいる場合、それぞれの無線通信装置１Ａ−１と１Ａ−２は、各空気調和機２Ａ−１、２Ａ−２との距離を距離認識部１３３Ａで把握し、近接している各空気調和機２Ａ−１、２Ａ−２を優先して温度補正を温度測定部１１Ａの測定値に準じて変更し、利用者４Ａ−１、４Ａ−２それぞれの標準体温に合わせて運転をおこなう。
【００５１】
例えば、利用者４Ａ−１は空気調和機２Ａ−１を優先して温度補正し、利用者４Ａ−２は空気調和機２Ａ−２を優先して温度補正することができる。
【００５２】
ここで温度補正は、各無線通信装置１Ａ−１および１Ａ−２の温度測定部１１Ａで計測した利用者４Ａ−１および４Ａ−２の体温を各利用者４Ａ−１および４Ａ−２の標準体温と比較して、例えば標準体温より測定体温が高くなっている場合に、各空気調和機２Ａ−１および２Ａ−２の設定温度を事前に決めていた温度だけ上昇補正をおこなうことでも可能である。
【００５３】
ここでは、温度補正を優先しておこなうために接近するとしているが、空気調和機２Ａ−１〜２Ａ−４の温度制御以外の空気調和機能全般についての制御も距離によって優先させてもよい。
【００５４】
また、連携設定部２６Ａで各空気調和機２Ａ−１、２Ａ−２が連携する設定の場合に、利用者４Ａ−１の測定温度値を空気調和機２Ａ−１へ、利用者４Ａ−２の測定温度値を空気調和機２Ａ−２へそれぞれ通知し、各空気調和機２Ａ−１と２Ａ−２間で補正値の中間値で温度補正運転をおこない、利用者１Ａ−１、１Ａ−２の補正温度に近い状態で運転する。
【００５５】
中間値で補正する方法としては、例えば空気調和機２Ａ−１の温度補正値が２度上昇し、空気調和機２Ａ−２が１度上昇する場合に、両方の空気調和機２Ａ−１および２Ａ−２が連携し、同じ部屋内での温度補正値を１．５度上昇として設定温度を変更して運転するようにしておこなうことでもよい。
【００５６】
ここでは、補正値を中間値としたが、利用者が風邪等で体温が上昇している場合に、補正値の高い温度にあわせて運転してもよい。
【００５７】
さらに２階の扉５Ａで仕切られた部屋の場合に、空気調和機２Ａ−３に近い位置に居る利用者４Ａ−３が携帯する無線通信装置１Ａ−３の補正値を優先しておこない、無線通信装置１Ａ−４の携帯電話３Ａ−４を携帯する利用者４Ａ−４は空気調和機２Ａ−３に対して温度補正をおこなうことができない。この利用者４Ａ−４が無線通信装置１Ａ−４を携帯したまま、利用者４Ａ−３よりも空気調和機２Ａ−３に接近した場合に、利用者４Ａ−４の温度補正値が有効に設定される。
【００５８】
従って、利用者４Ａ−３は近接している空気調和機２Ａ−３の温度補正を優先しておこなえるが、利用者４Ａ−４は空気調和機２Ａ−３を優先して温度補正できない。利用者４Ａ−４が優先して空気調和機２Ａ−３を利用したい場合は、利用者４Ａ−３よりも空気調和機２Ａ−３へ接近することで可能となる。
【００５９】
ここでは、１階部分の空気調和機２Ａ−１、２Ａ−２と無線通信装置１Ａ−１および１Ａ−２がそれぞれ通信をおこなうこととしたが、２階の空気調和機２Ａ−３、無線通信装置１Ａ−３、１Ａ−４も含めて、相互に通信をおこない認識しても同じである。
【００６０】
また、ここでは無線通信を特定小電力無線としたが、ＩＣタグ無線や微弱無線で通信距離を短くして特定範囲内に限定しておこなっても機能は同じである。
【産業上の利用の可能性】
【００６１】
以上のように、本発明にかかる空気調和システムは、家庭内で、無線通信装置を利用して空気調和機を制御するために、無線通信の距離を制御して利用者の優先順位や利用者の制限をおこない、利用者が意識せずに快適便利な利用をおこなうことができるもので、無線通信装置と空気調和機がそれぞれ通信距離を把握し家庭内の利用者の位置や行動を確認することができる。これは一般家庭の無線通信装置と空気調和機および空気調和システム以外に、ビル、工場等のＯＡ機器、空調、照明機器等の用途にも適用できる。
【図面の簡単な説明】
【００６２】
【図１】本発明の実施の形態１の無線通信装置と空気調和機の構成図
【図２】本発明の実施の形態１の無線通信装置の設置例を示す図
【図３】本発明の実施の形態２の無線通信装置と空気調和機および空気調和システムの構成図
【図４】従来の実施例における構成図
【符号の説明】
【００６３】
１Ａ−１、２、３、４  無線通信装置
２Ａ−１、２、３  空気調和機
３Ａ−１、２、３、４  携帯電話
１１Ａ  温度測定部
１２Ａ  識別部
１３Ａ  通信部
１３１Ａ、２３１Ａ  受信レベル制御部
１３２Ａ、２３２Ａ  送信レベル制御部
１３３Ａ、２３３Ａ  距離認識部
２１Ａ  温度制御部
２２Ａ  制御部
２３Ａ  通信部
２４Ａ  個人認識部
２５Ａ  調和設定部
２５１Ａ  標準温度設定部
２５２Ａ  補正部
２５２１Ａ  通知部
２６Ａ  連携設定部
【図１】
2007132616.tif 000003
【図２】
2007132616.tif 000004
【図４】
2007132616.tif 000005
【図３】
2007132616.tif 000006